(57)【特許請求の範囲】
【請求項１】
設置面に接地する平板状のベース部と、該ベース部に形成され簡易構築物の支柱の下端部と嵌合する筒部と、前記ベース部に形成され設置面固定用のアンカーボルトを挿通するアンカーボルト孔と、前記筒部の対向する両側に形成されるとともに、上下方向に少なくとも二段に亘って形成された支柱固定螺子を挿通する螺子挿通孔と、前記筒部に形成されパネル固定用ブラケットを支柱に固定するためのブラケット固定螺子が挿通される長孔とを具備し、該長孔の長さが前記最上段の螺子挿通孔から最下段の螺子挿通孔までの長さと同一又は長いことを特徴とする簡易構築物のアンカー部材。
【請求項２】
前記ベース部が直交する２側縁を有していることを特徴とする請求項１記載の簡易構築物のアンカー部材。
【請求項３】
前記アンカーボルト孔が少なくとも２個形成されていることを特徴とする請求項１又は２記載の簡易構築物のアンカー部材。
【請求項４】
前記螺子挿通孔に支柱固定螺子が螺着する雌螺子が形成されていることを特徴とする請求項１、２又は３記載の簡易構築物のアンカー部材。
【発明の詳細な説明】
【技術分野】
【０００１】
本発明は、ゴミストッカー等の簡易構築物を設置面に固定する簡易構築物のアンカー部材に関し、さらに詳しくは、簡易構築物の支柱を設置面に安定して固定できるようにした簡易構築物のアンカー部材に関するものである。
【背景技術】
【０００２】
集合住宅におけるゴミの回収には、敷地の一部にゴミストッカーを設置し、このゴミストッカーに各家庭から出るゴミを収納したゴミ袋を集積することにより行なっている。このようなゴミストッカーは、一般に、地面に支柱を固定するとともに、各支柱間に金網状のパネルを取付けた構造となっており、支柱を地面に固定するには、支柱の下端部にアンカー部材を取付け、このアンカー部材を地面に固定することにより行っていた。
【０００３】
従来、このようなアンカー部材で支柱を地面に固定するには、例えば、図８及び図９に示すような態様で行なわれていた。図８及び図９において、設置面８１にアンカー部材８２がアンカーボルト８３で固定され、このアンカー部材８２に支柱８４が支柱固定螺子８５で固定されている。すなわち、アンカー部材８２は、設置面８１に接地する長円状のベース部８６と、このベース部８６から上方へ立ち上がって形成された半円状の弧状部８７とからなり、ベース部８６をアンカーボルト８３で設置面８１に固定するとともに、弧状部８７に支柱８４を支柱固定螺子８５で固定している。また、支柱８４には、パネル固定ブラケット８８が螺子８９で固定され、このパネル固定ブラケット８８にパネル９０が取付けられている。
【０００４】
また、簡易構築物ではないが、鉄骨柱を施工面に固定するためのアンカーポストや（例えば、特許文献１参照）、角パイプ柱を基礎上に固定するための柱脚金物が提案されている（例えば、特許文献２参照）。
【０００５】
【特許文献１】特開２００４−１６９５１０号公報
【特許文献２】特許第２８７８６５１号公報
【発明の開示】
【発明が解決しようとする課題】
【０００６】
しかしながら、上述した従来のアンカー部材においては、設置面が傾斜していた場合、簡易構築物を安定して設置することができなかった。すなわち、集合住宅のゴミストッカーの設置面は、水切り勾配により各支柱間において傾斜している場合があり、このような傾斜面に支柱を固定すると、各支柱の高さが異なることになる。ところで、各支柱間にはパネル、梁等を取付けているので、パネルの上端及び下端の取付け位置が各支柱により上下方向にズレが生ずることとなり、パネルは斜めになった状態で取付けられることになる。また、梁も傾斜した状態で取付けられることになる。その結果、支柱のパネル取付け個所や、梁の取付け個所において負荷が掛かり、パネルや梁の取付けが不安定となるとともに、さらに支柱のアンカー部材への取付け個所においても負荷が掛かるものであった。その結果、ゴミストッカーを安定して設置することができなかった。
【０００７】
なお、特許文献１で提案されたアンカーポストや、特許文献２で提案された柱脚金物は、重量物を対象としているので大型であり、簡易構築物における支柱の固定には適さないものであった。
【０００８】
本発明は、以上の問題点を解決し、設置面が傾斜していても、各支柱の高さを略同一にすることができる簡易構築物のアンカー部材を提供することを目的とする。
【課題を解決するための手段】
【０００９】
請求項１に係る簡易構築物のアンカー部材は、設置面に接地する平板状のベース部と、該ベース部に形成され簡易構築物の支柱の下端部と嵌合する筒部と、前記ベース部に形成され設置面固定用のアンカーボルトを挿通するアンカーボルト孔と、前記筒部の対向する両側に形成されるとともに、上下方向に少なくとも二段に亘って形成された支柱固定螺子を挿通する螺子挿通孔と、前記筒部に形成されパネル固定用ブラケットを支柱に固定するためのブラケット固定螺子が挿通される長孔とを具備し、該長孔の長さが前記最上段の螺子挿通孔から最下段の螺子挿通孔までの長さと同一又は長いことを特徴とする。
【００１１】
請求項２に係る簡易構築物のアンカー部材は、請求項１において、ベース部が直交する２側縁を有していることを特徴とする。請求項３に係る簡易構築物のアンカー部材は、請求項１又は２において、アンカーボルト孔が少なくとも２個形成されていることを特徴とする。請求項４に係る簡易構築物のアンカー部材は、請求項１、２又は３において、螺子孔に支柱固定螺子が螺着する雌螺子が形成されていることを特徴とする。
【発明の効果】
【００１２】
請求項１に係る簡易構築物のアンカー部材においては、ベース部のアンカーボルト孔を介してアンカーボルトを設置面に固定することにより、アンカー部材を設置面に固定することができる。筒部には、支柱を被嵌し、さらに、支柱の螺子孔と筒部の螺子挿通孔とに支柱固定螺子を挿通固定することにより、支柱を固定することができる。また、筒部の螺子挿通孔は上下方向に少なくとも二段に亘って形成されているので、任意の段の螺子挿通孔を選択することにより、支柱の高さを調整することができ、その結果、設置面が水切り勾配等により傾斜している場合であっても、傾斜による設置面の高低に対応して支柱の高さを調整することができるので、簡易構築物を安定して設置することができる。
【００１３】
さらに、簡易構築物のアンカー部材においては、筒部に長孔が形成されており、この長孔は最上段の螺子孔から最下段の螺子穴までの長さと同一又は長く形成されているので、ブラケット固定螺子でパネル固定用ブラケットを支柱に固定する際、この長孔を挿通することにより、パネル固定用ブラケットを支柱に固定した状態で、支柱の筒部への固定位置（筒部の螺子挿通孔の位置）を任意に選択することができる。すなわち、支柱を上下方向に移動させると、ブラケット固定ボルトが追随して移動するが、ブラケット固定ボルトは長孔内に挿通されているので、長孔の範囲において自由に移動させることができる。
【００１４】
請求項２に係る簡易構築物のアンカー部材においては、ベース部が直交する２側縁を有しているので、このベース部の直交する側を設置面の角部に配置することにより、簡易構築物からベース部材が突出しないので設置面を無駄にすることなく、設置面の全面に簡易構築物を設置することができる。請求項３に係る簡易構築物のアンカー部材においては、アンカーボルト孔が少なくとも２個形成されているので、ベース部の設置面への固定を確実に行なうことができる。請求項４に係る簡易構築物のアンカー部材においては、筒部の螺子挿通孔に雌螺子が形成されているので、支柱と筒部との固定をより強固にすることができる。
【発明を実施するための最良の形態】
【００１５】
本発明の簡易構築物のアンカー部材は、ベース部が設けられており、このベース部は設置面に接地するものである。ベース部の形状・寸法は特に限定されないず、構築物及び接地面に応じて適宜変更することができる。例えば、円形状、三角形状、四角形状等とすることができ、直角三角形状、四角形状等の直交する２側縁を有するようにすると、直角部分を設置面の角部に対応させることができるので、設置面を無駄なく有効に利用することができる。ベース部に形成するアンカーボルト孔は２個以上形成することが好ましく、２個以上形成することにより、ベース部の固定を確実にすることができる。
【００１６】
筒部は支柱と嵌合して固定するためのもので、支柱の形状に適合させて円柱状、角柱状等に形成される。また、筒部と支柱との嵌合は、筒部が支柱に入り込む態様であっても、支柱が筒部に入り込む態様であってもよい。筒部に形成する螺子挿通孔は上下方向に少なくとも二段に亘って形成しており、三段以上に亘って形成してもよく、三段以上に亘って形成する場合は、略等間隔で形成することが好ましい。また、螺子挿通孔に雌螺子を形成することが好ましく、雌螺子を形成することにより支柱固定螺子と螺着するので、より強固に固定することができる。長孔は、ブラケット固定螺子が挿通され、その長手方向に移動自在とするもので、その長さが最上段の螺子挿通孔から最下段の螺子挿通孔までの長さと同一又は長く形成されていれば、ブラケット固定螺子の移動を妨げることが無い。
【００１７】
簡易構築物としては、ゴミストッカー、物置、雨除け構築物等が挙げられる。
【００１８】
本発明による簡易構築物のアンカー部材の一実施形態を図面を参照して説明する。図１はアンカー部材の正面図、図２は図１中Ａ−Ａ線断面図である。
【００１９】
図１及び図２に示す簡易構築物のアンカー部材１において、１０はベース部で、このベース部１０は角部を円弧状に形成した直角三角形状に形成されている。このベース部１０は、その鋭角に対応する二ヶ所には、設置面に固定するためのアンカーボルトを挿通するためのアンカーボルト孔１１が形成されており、また、直角に対応する個所には、筒部２０が設けられている。そして、これらのアンカーボルト孔１１と筒部２０との中心を結ぶ線分が直角三角形と成るように配置されている。このようにベース部１０の側縁を直交させることにより、簡易構築物からベース部１０が突出することなくアンカー部材１を取付けることができる。
【００２０】
筒部２０は円筒状に形成されており、その側面には支柱３０を固定するための支柱固定ボルト３１が螺着する螺子挿通孔としてのボルト挿通孔２１が９０度の間隔で４個形成されている。したがって、２個のボルト挿通孔２１が対向し、支柱固定ボルトを一端側から他端側へ挿通できるようになっており、かつ、９０度の間隔で任意選択してボルトを挿通できるようになっている。このようなボルト挿通孔２１は、等間隔で三段に亘って形成されており、すなわち、最上段のボルト挿通孔２１ａ、中断のボルト挿通孔２１ｂ、最下段のボルト挿通孔２１ｃが形成され、総数１２個のボルト挿通孔２１が形成されている。
【００２１】
また、支柱３０の側面には、パネル固定用ブラケット４１を支柱に固定するためのブラケット固定ボルト４２を挿通するための長孔２２が９０度の角度で４個形成されている。したがって、２個の長孔２２が対向し、ブラケット固定ボルト４２を一端側から他端側へ挿通できるようになっており、かつ、９０度の間隔で任意に選択してブラケット固定ボルト４２を挿通できるようになっている。また、この長孔２２は、ボルト挿通孔２１と４５度の角度で形成されており、平面視において支柱固定ボルトとブラケット固定ボルトとが、常に４５度の角度で交差するようになっている。
【００２２】
長孔２２は、その上端から下端までの長さａが、前記最上端のボルト挿通孔２１ａから最下段のボルト挿通孔２１ｃまでの長さｂより長く形成されている。したがって、支柱固定ボルト３１とブラケット固定ボルト４２との位置関係を、支柱固定ボルト３１を最下段のボルト挿通孔２１ｃに螺着する際、ブラケット固定ボルト４２を長孔２２の下端部において挿通出来るように配置することにより、ブラケット固定ボルト４２は長孔２２に沿って持ち上げることができるので、ブラケット固定ボルト４２を抜き出すことなく支柱固定ボルト３１を固定するボルト挿通孔２１を上方のボルト挿通孔２１ｂ又はボルト挿通孔２１ａに螺着することができる。すなわち、ブラケット固定ボルト４２によりパネル固定ブラケット４１を支柱３０に取付けた状態で、支柱３０を任意のボルト挿通孔２１により筒部２０に固定することができる。
【００２３】
以上のような簡易構築物のアンカー部材１を用いて簡易構築物の支柱３０を固定する態様について図面を参照して説明する。図３は簡易構築物の正面図、図４は簡易構築物の平面図、図５は図４中Ａ部の拡大断面図、図６は図４中Ａ部の矢印Ｂ方向から見た拡大図、図７は図４中Ａ部の矢印Ｃ方向から見た拡大図である。
【００２４】
図３及び図４に示す簡易構築物２において、３０は支柱、４０はパネル、５０は梁、６０は屋根であり、パネル４０はパネル固定ブラケット４１を介して支柱３０に取付けられている。そして、支柱３０をアンカー部材１に固定することにより、簡易構築物２を設置面３に設置している。また、前記支柱３０には、アンカー部材１へ固定するためのボルトと、パネル固定ブラケット４１を固定するためのボルトが形成されている。
【００２５】
支柱３０をアンカー部材１に固定するには、図５〜７に示すように、まず、アンカー部材１のベース部１０を設置面３の所定個所に接地させ、アンカーボルト孔１１を介してアンカーボルト１２で設置面３に固定する。
【００２６】
次に、設置面３に固定したアンカー部材１の筒部２０に支柱３０を被嵌させ、この状態でパネル固定ブラケット４１を支柱３０に当接するとともに、ブラケット固定ボルト４２を支柱３０に挿通させてパネル固定ブラケット４１から突出させ、ナット４３に螺着して固定する。この時、長孔２２が支柱３０のブラケット用ボルト挿通孔に対応しているので、ブラケット固定ボルト４２は、長孔２２を介して筒部２０を挿通している。これにより支柱３０を上下方向に移動可能な状態でパネル固定ブラケット４１が支柱３０に固定されている。
【００２７】
さらに、このパネル固定ブラケット４１を固定した支柱３０のボルト挿通孔を筒部２０のボルト挿通孔２１に一致させ、支柱固定ボルト３１をボルト挿通孔２１に螺着しつつ挿入し、反対側から突出させてナット３２を螺着させる。支柱３０のボルト孔をボルト挿通孔２１に一致させる際、パネル固定ブラケット４１も移動し、その結果ブラケット固定ボルト４２も移動することになるが、ブラケット固定ボルト４２は長孔２２に挿入されているので、長孔２２内を移動することにより支柱３０の移動が妨げられることが無い。
【００２８】
また、簡易構築物２の設置面３が水切り勾配等により傾斜していたとすると、各支柱３０の設置面３の高さが異なることになるので、その高低差に対応して支柱３０の筒部２０への取付け高さを変更する。例えば、低い設置面３に固定する支柱３０は、筒部２０の最上段のボルト挿通孔２１ａに支柱固定ボルト３１により固定し、高い設置面３に固定する支柱３０は、筒部２０の最下段のボルト挿通孔２１ｃに支柱固定ボルト３１により固定する。このようにすることにより、最上段のボルト挿通孔２１ａと最下段のボルト挿通孔２１ｃとの長さ分、設置面３の高低差を是正することができ、支柱３０の高さを可能な限り均一にすることができる。
【図面の簡単な説明】
【００２９】
【図１】本発明による簡易構築物のアンカー部材の一実施形態の正面図
【図２】図１中Ａ−Ａ線断面図
【図３】本発明による簡易構築物のアンカー部材を用いて設置した簡易構築物の正面図
【図４】本発明による簡易構築物のアンカー部材を用いて設置した簡易構築物の平面図
【図５】図４中Ａ部の拡大断面図
【図６】図４中Ａ部の矢印Ｂ方向から見た拡大図
【図７】図４中Ａ部の矢印Ｃ方向から見た拡大図
【図８】従来のアンカー部材を用いて簡易構築物の支柱を固定した状態を示す図
【図９】従来のアンカー部材を用いて簡易構築物の支柱を固定した状態を示す図
【符号の説明】
【００３０】
１    簡易構築物のアンカー部材
２    簡易構築物
３    設置面
１０  ベース部
１１  アンカーボルト孔
２０  筒部
２１  ボルト挿通孔（螺子挿通孔）
３０  支柱
３１  支柱固定ボルト
４０  パネル
４１  パネル固定ブラケット
４２  ブラケット固定ボルト
【図１】
0004813199.tif 000002
【図２】
0004813199.tif 000003
【図３】
0004813199.tif 000004
【図４】
0004813199.tif 000005
【図５】
0004813199.tif 000006
【図６】
0004813199.tif 000007
【図７】
0004813199.tif 000008
【図８】
0004813199.tif 000009
【図９】
0004813199.tif 000010